(57)【特許請求の範囲】
【請求項１】
図柄表示装置の表示部が臨む開口の外側部分に配設され、前記図柄表示装置の遊技演出に合わせて所定の演出動作を行なう遊技機の可動演出装置であって、
前記開口の外側部分に配設された移動部材と、
前記移動部材を、前記開口の外側で円弧状に移動させる駆動手段と、
前記開口の外側部分に該開口に沿って配設され、前記移動部材と連係手段で連係されて、前記移動部材の移動により第１位置と第２位置とに姿勢変位可能な複数の演出部材とを備え、
前記連係手段は、前記各演出部材に突設された突出部と、前記移動部材に各演出部材と個別に対応して形成され、前記突出部が摺動可能な溝とを備え、
前記溝は、前記移動部材の移動方向に延在する第１溝部と、前記第１溝部の端部から該移動方向に対し斜めに延在する第２溝部と、前記第２溝部における前記第１溝部と反対側の端部から前記移動部材の移動方向に延在する第３溝部とを有し、
前記突出部が前記第１溝部に位置する際に前記演出部材が前記第１位置に保持され、前記突出部が前記第３溝部に位置する際に前記演出部材が前記第２位置に保持されると共に、前記突出部が前記第２溝部に位置する際に前記演出部材が前記第１位置および第２位置の間に位置するよう構成され、
前記第１溝部の長さは前記各溝毎に異なっていると共に、前記第３溝部の長さは各溝毎に異なっており、
前記駆動手段の駆動により前記移動部材が前記開口に沿って円弧状に移動することで、前記各演出部材の前記第１位置および第２位置への姿勢変位の開始タイミングおよび終了タイミングを異ならせるよう構成した
ことを特徴とする遊技機の可動演出装置。
【請求項２】
複数の前記移動部材が、前記開口の周方向へ所要の間隔をおいて、該開口を囲繞するように円形に配列され、
前記各演出部材が、所要間隔毎に前記開口を囲繞するように円形に配列されて前記移動部材の何れかに対応して連係されると共に、
前記駆動手段が、前記各移動部材毎に対応して設けられ、
前記各駆動手段で前記各移動部材を個別に移動させて、前記各演出部材を姿勢変位するよう構成した請求項１記載の遊技機の可動演出装置。
【請求項３】
前記各移動部材は、前記開口の外側部分に設けられたガイド手段で円弧状に移動するように案内され、
前記各移動部材は、前記開口の外側部分に対向する面に、円弧状に延在すると共に該裏面から突出した突部が、該移動部材の移動方向と交差する方向に離間して複数形成され、
前記開口の外側部分に、前記各移動部材の各突部が摺動可能な摺動面が、段差なく前記開口を囲繞するよう形成され、
隣接する移動部材の移動領域は重なっていない請求項２記載の遊技機の可動演出装置。
【請求項４】
前記各演出部材は、前記移動部材の前側に配設され、該移動部材が円弧状に移動することで、該移動部材の前側に重なった前記第１位置と前記開口の前側へ移動した前記第２位置とに姿勢変位する請求項１〜３の何れか一項に記載の遊技機の可動演出装置。
【発明の詳細な説明】
【技術分野】
【０００１】
この発明は、図柄表示装置の表示部が臨む開口の外側部分に該開口に沿って配設され、前記図柄表示装置の遊技演出に合わせて所定の演出動作を行なう遊技機の可動演出装置に関するものである。
【背景技術】
【０００２】
例えば、遊技機の代表例の一つであるパチンコ機は、固定枠としての外枠に開閉自在に組み付けられた本体枠としての中枠に、前面にパチンコ球が打ち出される遊技領域が画成された遊技盤が着脱自在に配設される。前記遊技盤の前側には、始動入賞装置や特別入賞装置が遊技領域内に配設されると共に、遊技状態に合わせて発光演出を行う発光演出装置等(以下、電気部品という)が該遊技領域の内外に設けられる。また、遊技盤の中央には、前後に開口した演出領域が形成されると共に、前記遊技盤の後側には箱状の設置部材が配設され、この設置部材には、各種図柄を変動表示して図柄変動演出を行う液晶式やドラム式等の図柄表示装置が、前記演出領域に表示部を臨ませた状態で配設される。このようなパチンコ機では、前記遊技領域に打ち出して該遊技領域内を流下する遊技球が前記始動入賞装置に設けた始動口に入賞することで、図柄表示装置での図柄変動演出を開始させると共に遊技球を賞球として払出すよう構成されている。そして、前記図柄変動演出の結果、図柄表示装置に特定の図柄の組合わせ(大当り図柄)が表示されると、遊技者に有利な特別遊技(大当り遊技)を発生して、図柄表示装置における演出に合わせて前記特別入賞装置の入賞口を開放した後に、予め設定された所定のラウンド遊技を繰返して、遊技者に多数の賞球を払出す好機を与えるようになっている。
【０００３】
前記設置部材は、前方に開放する箱状に形成され、前記遊技盤の後面に所定の間隔をおいて対向する設置壁部と、該設置壁部の周縁部から前方に延出する外周壁部とを備え、該外周壁部の前端縁を遊技盤の後側に当接して該遊技盤の後側に配設される。前記設置部材の設置壁部には窓口が形成され、該設置壁部の後側に配設した前記図柄表示装置の表示部が整合している。また、前記設置壁部の前側には、前記図柄表示装置の表示部において行なわれる遊技演出に連動して移動する演出部材を備えた可動演出装置や、遊技内容に合わせてデザインされた装飾部材等が配設され、これら可動演出装置および装飾部材は、前記演出領域に臨むようになっている。このような遊技機は、特許文献１に開示されている。
【先行技術文献】
【特許文献】
【０００４】
【特許文献１】特開２０１０−２５９５５１号公報
【発明の概要】
【発明が解決しようとする課題】
【０００５】
前記可動演出装置は、前記演出部材による前記図柄表示装置の表示部での遊技演出に対する演出効果を高めるため、複数の前記演出部材を該表示部が臨む前記開口の外側部分に姿勢変位可能に配設した構成のものがある。このような可動演出装置では、前記特許文献１に開示されたように、前記各演出部材が直線状に配設されていれば、駆動手段により直線に移動する移動部材により複数の演出部材を連動的に姿勢変位することが可能である。しかるに、例えば前記各演出部材が前記開口に沿って円弧状に配設されている場合には、直線に移動する前記移動部材では各演出部材を連動的に姿勢変位することが不可能であり、各演出部材毎に個別の駆動手段を設けることになるため、可動演出装置の大型化、複雑化およびコストアップを招来していた。
【０００６】
すなわち本発明は、従来技術に係る遊技機に内在する前記問題に鑑み、これらを解決するべく提案されたものであって、小型化および簡素化を図り得ると共にコストダウンが図られた遊技機の可動演出装置を提供することを目的とする。
【課題を解決するための手段】
【０００７】
前記課題を解決し、所期の目的を達成するため、本願の請求項１に係る遊技機は、
図柄表示装置(H)の表示部(H1)が臨む開口(34)の外側部分に配設され、前記図柄表示装置(H)の遊技演出に合わせて所定の演出動作を行なう遊技機の可動演出装置であって、
前記開口(34)の外側部分に配設された移動部材(75)と、
前記移動部材(75)を、前記開口(34)の外側で円弧状に移動させる駆動手段(78)と、
前記開口(34)の外側部分に該開口(34)に沿って配設され、前記移動部材(75)と連係手段(77)で連係されて、前記移動部材(75)の移動により第１位置と第２位置とに姿勢変位可能な複数の演出部材(76)とを備え、
前記連係手段(77)は、前記各演出部材(76)に突設された突出部(95)と、前記移動部材(75)に各演出部材(76)と個別に対応して形成され、前記突出部(95)が摺動可能な溝(82)とを備え、
前記溝(82)は、前記移動部材(75)の移動方向に延在する第１溝部(83)と、前記第１溝部(83)の端部から該移動方向に対し斜めに延在する第２溝部(84)と、前記第２溝部(84)における前記第１溝部(83)と反対側の端部から前記移動部材(75)の移動方向に延在する第３溝部(85)とを有し、
前記突出部(95)が前記第１溝部(83)に位置する際に前記演出部材(76)が前記第１位置に保持され、前記突出部(95)が前記第３溝部(85)に位置する際に前記演出部材(76)が前記第２位置に保持されると共に、前記突出部(95)が前記第２溝部(84)に位置する際に前記演出部材(76)が前記第１位置および第２位置の間に位置するよう構成され、
前記第１溝部(83)の長さは前記各溝(82)毎に異なっていると共に、前記第３溝部(85)の長さは各溝(82)毎に異なっており、
前記駆動手段(78)の駆動により前記移動部材(75)が前記開口(34)に沿って円弧状に移動することで、前記各演出部材(76)の前記第１位置および第２位置への姿勢変位の開始タイミングおよび終了タイミングを異ならせるよう構成したことを要旨とする。
【０００８】
従って、請求項１に係る発明によれば、開口の外側部分に配設した移動部材が該開口の周方向へ円弧状に移動することで、該開口の外側部分に沿って円弧状に配設した複数の演出部材の各々を、図柄表示装置の表示部での遊技演出に合わせて第１位置と第２位置との間で姿勢変位させることができ、演出効果を向上することができる。そして、移動部材を開口に沿って円弧状に移動させるため、可動演出装置の設置スペースを小さくすることができる。
そして、第１溝部の長さおよび第３溝部の長さが各溝毎に異なっているので、該移動部材が円弧状に移動する際に各演出部材の姿勢変位の開始タイミングおよび終了タイミングを異ならせることができ、各演出部材による演出効果を高めることができる。
【０００９】
請求項２に係る遊技機では、
複数の前記移動部材(75)が、前記開口(34)の周方向へ所要の間隔をおいて、該開口(34)を囲繞するように円形に配列され、
前記各演出部材(76)が、所要間隔毎に前記開口(34)を囲繞するように円形に配列されて前記移動部材(75)の何れかに対応して連係されると共に、
前記駆動手段(78)が、前記各移動部材(75)毎に対応して設けられ、
前記各駆動手段(78)で前記各移動部材(75)を個別に移動させて、前記各演出部材(76)を姿勢変位するよう構成したことを要旨とする。
従って、請求項２に係る発明によれば、複数の演出部材が所要間隔毎に開口を囲繞するように円形に配列されて移動部材に連係されているので、各駆動手段を同期的に駆動させて各移動部材を同期的に移動させることで、複数の演出部材を同期的に表示部の周囲から前方へ臨ませることができ、各演出部材により演出効果を高めることができる。また、各駆動手段を非同期に駆動させて各移動部材を非同期的に移動させることで、各演出部材をタイミングをずらして姿勢変位させることができるから、更に多彩かつ多様な演出を行なうことができる。
【００１０】
請求項３に係る遊技機では、
前記各移動部材(75)は、前記開口(34)の外側部分に設けられたガイド手段(69,81)で円弧状に移動するように案内され、
前記各移動部材(75)は、前記開口(34)の外側部分に対向する面に、円弧状に延在すると共に該裏面から突出した突部(89)が、該移動部材(75)の移動方向と交差する方向に離間して複数形成され、
前記開口(34)の外側部分に、前記各移動部材(75)の各突部(89)が摺動可能な摺動面(66)が、段差なく前記開口(34)を囲繞するよう形成され、
隣接する移動部材(75)の移動領域は重なっていないことを要旨とする。
従って、請求項３に係る発明によれば、ガイド手段により、移動部材を開口に沿って適切な円弧軌道で移動させることができ、各演出部材を適切に姿勢変位させることができる。そして、移動部材は、突部の先端において摺動面に接触しているので、移動する際の摺動抵抗が減少してスムーズな移動が可能である。
【００１１】
請求項４に係る遊技機では、
前記各演出部材(76)は、前記移動部材(75)の前側に配設され、該移動部材(75)が円弧状に移動することで、該移動部材(75)の前側に重なった前記第１位置と前記開口(34)の前側へ移動した前記第２位置とに姿勢変位することを要旨とする。
従って、請求項４に係る発明によれば、各演出部材は、移動部材の前側に重なって第１位置では開口の前側から退避すると共に、開口の前側へ移動した第２位置では前記図柄表示装置の表示部の前側に移動するので、演出部材が該表示部の前方を進退するようになって演出効果を好適に向上させ得る。
【発明の効果】
【００１２】
本発明に係る遊技機の可動演出装置によれば、円弧状に配設された複数の演出部材を１つの駆動手段で姿勢変位させることができ、小型化および簡素化を図り得ると共にコストダウンが図られる。
【図面の簡単な説明】
【００１３】
【図１】実施例に係るパチンコ機の正面図である。
【図２】実施例のパチンコ機に装着される遊技盤の正面図である。
【図３】第１可動演出装置および第３装飾部材を前側に配設した設置部材を示す斜視図である。
【図４】図３のIV−IV線断面図である。
【図５】設置部材から第１可動演出装置を取り外した状態を示す斜視図である。
【図６】各回転演出部材が退避位置に保持された非作動状態の第１可動演出装置を示す斜視図である。
【図７】第１可動演出装置を構成する第１演出機構を、前側から見た状態で示す分解斜視図である。
【図８】第１可動演出装置を構成する第１演出機構を、後側から見た状態で示す分解斜視図である。
【図９】設置部材の前側に配設した第１可動演出装置を、各回転演出部材を取り外した状態で示す正面図である。
【図１０】第１演出機構において、スライド部材に設けたカム溝と回転演出部材に設けたカムからなる連係機構の構成を示す説明図である。
【図１１】設置部材に配設した第１可動演出装置を、各可動演出部材が退避位置にある状態で示す正面図である。
【図１２】設置部材に配設した第１可動演出装置を、各可動演出部材が退避位置と移動位置との間にある状態で示す正面図である。
【図１３】設置部材に配設した第１可動演出装置を、各可動演出部材が移動位置にある状態で示す正面図である。
【発明を実施するための形態】
【００１４】
次に、本発明に係る遊技機の可動演出装置につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１５】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０の始動入賞口２０Ａへのパチンコ球(遊技球)の入賞)を契機として演出用の図柄を変動表示させて図柄変動演出を行なう図柄表示装置Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方にパチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１６】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔(例えば、０．６秒間隔)で１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１７】
(遊技盤)
前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３に示す設置部材３０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１８】
前記遊技盤Ｄには、図２に示すように、中央に大きな貫通口が形成され、前後に開口して遊技演出領域とされる表示窓口２８Ａが形成された枠状装飾部材２８が、該貫通口の開口縁に配設されている。この枠状装飾部材２８には、図柄表示装置Ｈ(後述)で行なわれる遊技内容に合わせた装飾が施されている。そして、前記設置部材３０に着脱可能に配設された図柄表示装置Ｈにおける表示部Ｈ１や、該設置部材３０の前側に配設される後述の第１〜第３の可動演出装置６０,１１０,１１５等が、枠状装飾部材２８の表示窓口２８Ａに臨むように配設されている。なお、前記枠状装飾部材２８と前記盤面飾り部材１３との間には、パチンコ球の流下が可能な流下経路１５が形成されている。
【００１９】
また前記遊技盤Ｄには、前記貫通口の真下において、該遊技盤Ｄの左右中央に第１装着口が開設され、該貫通口の右下方(第１装着口の右側)に第２装着口が開設されると共に、前記第１装着口の左側に第３装着口が開設されている。前記第１装着口には始動入賞装置２０が前側から配設され、前記第２装着口には特別入賞装置２１が前側から配設されると共に、第３装着口には３つの入賞口２２Ａが左右に配列された普通入賞具２２が配設されている。すなわち前記特別入賞装置２１は、前記枠状装飾部材２８の右側に形成された前記流下経路１５の下方に位置している。なお、遊技盤Ｄの前面における前記遊技領域１０内には、多数の球案内釘２３および回転球案内具２５等が配設されている。
【００２０】
前記始動入賞装置２０、特別入賞装置２１および普通入賞具２２には、各々に入賞したパチンコ球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示部Ｈ１での図柄変動演出の後に、該表示部Ｈ１に所定の図柄組合わせで図柄が停止表示され、前記特別入賞装置２１の開閉扉２１Ａが開放位置に姿勢変位して多数のパチンコ球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２１】
(設置部材)
前記設置部材３０は、図３〜図５に示すように、前方に開放する略矩形のバケット状に一体成された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で対向して該遊技盤Ｄの後面を構成する設置壁部３１と、この設置壁部３１の周縁から前方へ延出形成された外周壁部３２と、この外周壁部３２の前端から外方に向けて屈曲形成された縁板部３３等を備えている。すなわち設置部材３０は、外周壁部３２で囲われて遊技盤Ｄ側に開放する前部開口が矩形状に形成されると共に、縁板部３３の外周縁が、遊技盤Ｄの外周縁より一回り小さい形状および大きさで形成されている。このような設置部材３０は、縁板部３３を遊技盤Ｄの後面にネジ止めすることで該遊技盤Ｄに固定され、遊技盤Ｄの後面から離間した設置壁部３１の前側に、第１〜第３の各装飾部材４０,４５,５０や、第１〜第３の各可動演出装置６０,１１０,１１５や、その他の各種部材の配設を可能とする空間ＳＰを画成する。
【００２２】
前記設置部材３０の設置壁部３１には、図３〜図５に示すように、前後に貫通する表示開口３４が形成されている。この表示開口３４は、上縁および下縁が水平に延在する直線をなすと共に左縁および右縁が垂直に延在する直線をなし、また上縁と左縁との間、上縁と右縁との間、下縁と左縁との間、下縁と右縁との間の各々が凹状の円弧をなす開口形状とされている。設置壁部３１の後側には、前記図柄表示装置Ｈを固定するための取付部(図示せず)が設けられ、表示部Ｈ１を表示開口３４に臨ませた状態で該図柄表示装置Ｈが着脱可能に取り付けられる(図３〜図５では、図柄表示装置Ｈは図示省略してある)。この図柄表示装置Ｈは、各種図柄を表示可能な表示部Ｈ１をなす液晶パネルが収容ケースに収容されたユニット部材であって、該収容ケースの後面には、該図柄表示装置Ｈの表示部Ｈ１の表示制御を行なう表示制御装置と、当該パチンコ機Ｐの遊技演出を統括的に制御する前記統括制御装置が配設される。統括制御装置には、設置壁部３１の後側に配設した中継基板(図示せず)を介して前記図柄表示装置Ｈ、前記前枠Ｃに配設されたランプ装置や前記中枠Ｂに配設されたスピーカ等が電気的に接続されており、該統括制御装置から出力される制御信号に基づいて各装置が作動制御される。また統括制御装置には、中継基板を介して、設置壁部３１の前側に配設された前記第１〜第３の装飾部材４０,４５,５０に配設されたランプ装置や、前記第１〜第３の各可動演出装置６０,１１０,１１５等が電気的に接続されており、該統括制御装置から出力される制御信号に基づいて各ランプ装置の点灯制御や各可動演出装置６０,１１０,１１５の作動が制御される。なお前記設置壁部３１は、表示開口３４の上側部分を上板部３１Ａ、表示開口３４の下側部分を下板部３１Ｂと指称すると共に、表示開口３４の右側部分を右板部３１Ｃ、表示開口３４の左側部分を左板部３１Ｄと指称する。
【００２３】
前記設置部材３０における設置壁部３１の上板部３１Ａの前側には、図１および図２に示すように、該上板部３１Ａの左右幅に略同じ左右長に形成された横長の第２可動演出装置１１０が配設されている。すなわち、前記上板部３１Ａの前面における左端近傍および右端近傍には、水平前方へ突出した複数の第１取付ボス３５が形成されており、第２可動演出装置１１０は、その左端部分および右端部分を各第１取付ボス３５の前部に支持された状態で、上板部３１Ａとの間に空間ＳＰ１を画成した状態で該上板部３１Ａに前方に配設されている。そして第２可動演出装置１１０には、図１および図２に示すように、第１装飾部材４０が配設されている。
【００２４】
前記設置壁部３１の右板部３１Ｃの前側には、図１および図２に示すように、該右板部３１Ｃの上下幅と略同じ上下長に形成された縦長の第３可動演出装置１１５が配設されている。すなわち、前記右板部３１Ｃの前面における上端近傍および下端近傍には、水平前方へ突出した複数の第２取付ボス３６が形成されており、第３可動演出装置１１５は、その上端部分および下端部分を各第２取付ボス３６の前部に支持された状態で、右板部３１Ｃとの間に空間ＳＰ１を画成した状態で該右板部３１Ｃに配設されている。そして第３可動演出装置１１５には、図１および図２に示すように、後述する第２装飾部材４５が配設されている。更に、前記設置壁部３１の左板部３１Ｄの前側には、図１〜図４に示すように、該左板部３１Ｄの上下幅と略同じ上下長に形成された縦長の第３装飾部材５０が配設されている。すなわち、前記左板部３１Ｄの前面における上端近傍および下端近傍には、水平前方へ突出した複数の第３取付ボス３７が形成されており、第３装飾部材５０は、その上端部分および下端部分を各第３取付ボス３７の前部に支持された状態で、左板部３１Ｄとの間に空間ＳＰ１を画成した状態で該左板部３１Ｄに配設されている。
【００２５】
(第１可動演出装置)
前記設置部材３０の設置壁部３１の前側には、図３〜図５に示すように、前記表示開口３４を囲繞する第１可動演出装置６０が配設されている。この第１可動演出装置６０は、前記設置壁部３１と、前記第２可動演出装置１１０、第３可動演出装置１１５および第３装飾部材５０との間に画成された前記空間ＳＰ１内で姿勢変位可能に配設されている。すなわち、前記第２可動演出装置１１０および第３可動演出装置１１５が、前記第１装飾部材４０の前側および第２装飾部材４５の前側に夫々配設されて遊技盤Ｄの前面と略同じ位置に臨むようになっているのに対し、前記第１可動演出装置６０は、設置部材３０の前記設置壁部３１に直接に取り付けられているため、前記第２可動演出装置１１０(第１装飾部材４０)、第３可動演出装置１１５(第２装飾部材４５)および第３装飾部材５０の後側において、遊技盤Ｄの前面からかなり奥まった位置に配設されている。
【００２６】
(第１〜第３の演出機構)
実施例の第１可動演出装置６０は、図３、図５、図６および図１１に示すように、前記表示開口３４の外側部分に位置し、この表示開口３４の周方向へ配列されて該表示開口３４を円形に囲繞する第１〜第３の演出機構６１,６２,６３から構成されている。すなわち、前記設置壁部３１の前側において、表示開口３４の上方に第１演出機構６１が配設され、該表示開口３４の左側から下方にかけて第２演出機構６２が配設される共に、該表示開口３４の右側から下方にかけて第３演出機構６３が配設されている。従って第１〜第３の各演出機構６１,６２,６３は、表示開口３４の外周部分を周方向へ複数(実施例では３つ)に分割した各々の領域に配設されている。
【００２７】
前記第１〜第３の演出機構６１,６２,６３は、図６および図７に示すように、前記設置壁部３１の前面に接触するように配設され、表示開口３４の外周方向へ円弧状に延在する摺動面６６が形成された固定ベース部材６５を備えている。そして前記固定ベース部材６５には、前記摺動面６６に沿って周方向へ移動可能な円弧状のスライド部材(移動部材)７５と、前記摺動面６６において前記固定ベース部材６５の前側に配設された前記回転演出部材(演出部材)７６と、前記スライド部材７５と前記回転演出部材７６とを連係する連係機構(連係手段)７７と、前記スライド部材７５を前記第３演出機構６３に沿って移動させる電動モータ(駆動手段)７８とが配設されている。なお、第１〜第３の各演出機構６１,６２,６３は、スライド部材７５の形状や電動モータ７８の配設位置等に若干の違いはあるものの基本的な構成は同じである。従って、ここでは第１演出機構６１についてのみ詳細構成を図示し、各演出機構６１,６２,６３における同一の部材、部位については同一の符号を付して説明する。
【００２８】
(固定ベース部材)
前記固定ベース部材６５は、図７および図８に示すように、左右方向に細長い形状に形成されると共に、前面には前記摺動面６６が円弧状でかつ平面状に形成されている。前記摺動面６６の円弧方向の長さは、前記表示開口３４の外周部分における周長の略１／３に設定されている。そして、前記摺動面６６の前面には、該摺動面６６の幅方向の中央より表示開口３４となる内側に、前方に軸心を向けた複数(実施例では３個)の第１支軸６７が、周方向へ等間隔に配設されている。各第１支軸６７には、前記回転演出部材７６が回転自在に配設されるようになっている。また前記摺動面６６には、図７に示すように、該摺動面６６の幅方向の中央より外側に、前方に軸心を向けた複数(実施例では２個)の第２支軸６８が、周方向へ所要の間隔に配設されている。各第２支軸６８には、前記摺動面６６に沿って周方向へ移動可能な円弧状のスライド部材７５に設けたガイドレール(ガイド部)８１に係合するガイドローラ(ガイド部)６９が回転自在に配設されている。なお、各第２支軸６８は、前記各第１支軸６７に対して、周方向へ適宜偏倚した位置に設けられている。また、固定ベース部材６５の前記摺動面６６が形成された部位の右上には、前記電動モータ７８およびギアが配設される機構設置部７０が設けられている。更に、前記固定ベース部材６５の摺動面６６から外れた左右両側部分は、適宜基板やその他の機器が配設される機器設置部７１が設けられている。
【００２９】
(スライド部材)
前記各スライド部材７５は、図６および図７に示すように、前記摺動面６６の曲率と同じ曲率に形成された長円弧状の板状部材であり、前記摺動面６６の円弧方向の長さより短く形成されている。そしてスライド部材７５は、対応する摺動面６６と常に前後に重なる範囲内において、該摺動面６６の周方向への往復スライド移動が可能となっている。スライド部材７５における前記摺動面６６に対向する裏面には、図８に示すように、該スライド部材７５の長手方向へ延在する複数(実施例では４本)の円弧突部８９が、該スライド部材の短手方向へ所要間隔毎に形成されている。従ってスライド部材７５は、各円弧突部８９の先端において前記摺動面６６に接触するようになっており、円弧状に移動する際の摺動抵抗が減少するよう構成されている。
【００３０】
また前記スライド部材７５には、図７〜図９に示すように、前記第１支軸６７,６７,６７に各々対応する位置に、摺動面６６の周方向へ円弧状に延在する退避部８０,８０,８０が形成されている。なお、図７において、左側および中央に位置する退避部８０,８０は、前記スライド部材７５に円弧状の開口する長孔形態に形成され、右側に位置する退避部８０は、該スライド部材７５の端縁部に開口した凹部となっている。従って、各退避部８０に各第１支軸６７が位置していることで、スライド部材７５が後述する原点位置とスライド位置との間をスライド移動が可能になっている。
【００３１】
(ガイド部)
ガイド部としての前記各ガイドレール８１,８１は、前記スライド部材７５において、該スライド部材７５の曲率と同じ曲率で円弧状に形成されている。前記各ガイドレール８１の周方向への長さは、当該スライド部材７５の周方向への移動ストロークを規定するものである。また、ガイド部しての前記各ガイドローラ６９,６９は、前記第２支軸６８,６８に回転自在に配設され、図８に示すように、前記スライド部材７５を前後から挟み込むよう前後に分割されて、２つのローラ半体６９Ａ,６９Ｂから構成されている。すなわち各ガイドローラ６９は、第２支軸６８に一方のローラ半体６９Ａを配設したもとで前記スライド部材７５の前記ガイドレール８１へ該第２支軸６８を挿通させ、挿通した該第２支軸６８に対して他方のローラ半体６９Ｂを装着することで、該スライド部材７５を前後から挟持した状態となる。なお、各ガイドローラ６９,６９の他方のローラ半体６９Ｂには、前端面に前記ガイドレール８１の短手方向の開口幅より大径のリブが形成されており、前記スライド部材７５は、両ガイドローラ６９,６９により固定ベース部材６５から前方へ離脱することが防止されるようになっている。
【００３２】
従って前記スライド部材７５は、前記ガイドローラ６９,６９が対応のガイドレール８１,８１に沿って転動することで、原点位置(図８参照)と、前側から見て該原点位置から反時計方向へ円弧状にスライド移動したスライド位置(図９参照)との間をスライド移動するようになっている。なお、スライド部材７５の前記原点位置では、前記各ガイドローラ６９は対応するガイドレール８１の左端に近接または当接するようになり、スライド部材７５の前記スライド位置では、前記各ガイドローラ６９は対応するガイドレール８１の右端に近接または当接するようになっている。
【００３３】
(カム溝)
そして、図７〜図９に示すように、スライド部材７５には、各回転演出部材７６に設けられて連係機構７７を構成するカム(突出部)９５が摺動するカム溝(溝)８２が、該スライド部材７５の前後方向に貫通した状態に形成されている。このカム溝８２は、スライド部材７５の円弧方向と交差する幅方向の中央よりも外側において周方向へ延在する第１溝部８３と、この第１溝部８３の右端から半径方向の内方へ斜めに延在する第２溝部８４と、この第２溝部８４の端部からスライド部材７５の円弧方向と交差する幅方向の中央よりも内側において周方向へ延在する第３溝部８５とから構成されている。そして、前記スライド部材７５が摺動面６６に沿って周方向へスライド移動して、前記カム９５が該カム溝８２の第１溝部８３、第２溝部８４および第３溝部８５に沿って摺動することで、後述するように、当該カム９５が配設された回転演出部材７６が、前記第１支軸６７を中心として回転しながら姿勢変位するように構成されている。
【００３４】
また、スライド部材７５における外周側端部の右側部分には、該外周側端部に沿って周方向へ延在するラックギア８６が形成されている。更に、スライド部材７５の外周側端部の左方には、半径方向の外方へ延出する検知片８７が形成されており、該スライド部材７５の原点位置を検出する原点検知センサ８８での検知が可能となっている。すなわち、前記スライド部材７５が前記原点位置となった場合に前記検知片８７が前記原点検知センサ８８に検知されるように構成されている。
【００３５】
(回転演出部材)
前記各回転演出部材７６は、図７、図８および図１０に示すように、前記第１支軸６７に枢支される枢支体部９０と、この枢支体部９０に固定されて前面が所要の意匠形状に形成されて演出体部９１とを備えている。前記枢支体部９０は、前記演出体部９１を固定するための取付座が形成された板状の取付部９２と、この取付部９２の一端に設けられて前記第１支軸６７が挿通する支持孔９４が形成された支持部９３と、前記取付部９２の前記支持部９３と反対側の他端側において後方へ突出するピン状の前記カム９５とを備えた一体成形部材である。すなわち前記カム９５は、前記支持孔９４から所要距離離間した位置に配設されており、該支持孔９４に挿通した前記第１支軸６７を中心として枢支体部９０が回転変位することで円弧状の軌跡に沿って移動し得るようになっている。
【００３６】
前記演出体部９１は、図７および図８に示すように、前記枢支体部９０の取付部９２に固定される固定部９６と、この固定部９６に一体的に形成された意匠部９７とを備えると共に、該意匠部９７の後側に、ＬＥＤ基板を備えた照明装置(図示せず)が配設されている。前記意匠部９７は、前記固定部９６側が幅広で、該固定部９６から離間するにつれて徐々に幅狭になり、該固定部９６と反対側の先端部分が、該固定部９６と略同じ幅に形成されている。そして前記意匠部９７は、光の透過が可能な半透明の部材であり、前記照明装置を点灯制御することで明輝して演出効果が発現されるようになっている。
【００３７】
前述のように構成された各回転演出部材７６は、図７および図８に示すように、前記固定ベース部材６５に設けた摺動面６６に前記スライド部材７５を予めセットしたもとで、前記枢支体部９０の支持部９３に形成された支持孔９４に前記第１支軸６７の先端部を突入して係合させることで、該固定ベース部材６５に回転自在に配設される。そして、固定ベース部材６５を設置部材３０における設置壁部３１の前面に固定すると、各回転演出部材７６は、前方へ軸心が延在する前記第１支軸６７を回転中心として前記固定ベース部材６５に設けた前記摺動面６６の前面と平行な方向で回転変位が可能となっている。これにより回転演出部材７６は、図１０に示すように、前記枢支体部９０に設けたカム９５を前記スライド部材７５のカム溝８２に係合させることで、姿勢が規定されるようになる。
【００３８】
すなわち各回転演出部材７６は、図６および図１１に示すように、前記カム９５が前記カム溝８２の第１溝部８３に位置している場合は、摺動面６６の前側に位置してスライド部材７５と前後に重なり得る退避位置に保持されるようになっている。また各回転演出部材７６は、図１０および図１３に示すように、前記カム９５が前記カム溝８２の第３溝部８５に位置している場合は、前記表示開口３４の中央方向を指向して前記図柄表示装置Ｈの表示部Ｈ１の前方に延出した移動位置に保持されるようになっている。更に各回転演出部材７６は、図１２に示すように、前記カム９５が前記カム溝８２の第２溝部８４に位置している場合は、前記退避位置と前記移動位置との間に位置するように構成されている。
【００３９】
従って第１可動演出装置６０では、スライド部材７５が前記原点検知センサ８８が前記検知片８７を検知した原点位置にある場合には、図３、図６および図１１に示すように、前記カム９５が前記カム溝８２の第１溝部８３に位置して、前記退避位置に保持される。そして各回転演出部材７６は、退避位置に保持されている場合に、図１および図２に示すように、前記第２可動演出装置１１０、第３可動演出装置１１５および第３装飾部材５０の背後に位置して、遊技盤Ｄの前側からは全く視認されないようになっている。
【００４０】
そして、前記電動モータ７８の駆動により、前記スライド部材７５が前側から見て反時計方向へ円弧状に移動すると、図１２に示すように、前記カム９５が前記カム溝８２の第１溝部８３から第２溝部８４へ相対的に移動して該第２溝部８４に沿って摺動するようになることで、回転演出部材７６は前から見て反時計方向へ回転するようになる。更に、前記スライド部材７５が所定の距離だけ反時計方向へ円弧状に移動すると、前記カム９５が前記カム溝８２の第２溝部８４から第３溝部８５へ相対的に移動して該第３溝部８５に沿って摺動するようになり、これにより回転演出部材７６は、前記移動位置に姿勢変位して保持される(図１３)。なお各回転演出部材７６は、前記移動位置において前記表示窓口２８Ａへ延出して、図柄表示装置Ｈの表示部Ｈ１の前方に位置して、遊技盤Ｄの前側から好適に視認されるようになる。
【００４１】
ここで、前記スライド部材７５に設けた３つの各カム溝８２は、図１０に示すように、該スライド部材７５の長手方向における第１溝部８３の長さと第３溝部８５の長さが各々異なっている。すなわち、正面左側のカム溝８２は、第１溝部８３の長さＬ１が最も長く形成され、中央のカム溝８２における第１溝部８３の長さＬ１は正面左側のカム溝８２の第１溝部８３より短く形成され、正面右側のカム溝８２における第１溝部８３の長さＬ１は中央のカム溝８２の第１溝部８３より更に短く設定されている。従って、前記スライド部材７５が前記原点位置からスライド位置に向けて円弧状に移動する際には、正面右側の回転演出部材７６、中央の回転演出部材７６および正面左側の回転演出部材７６の退避位置から移動位置への姿勢変位の開始タイミングおよび終了タイミングが異なるようになっている。すなわち、スライド部材７５が原点位置からスライド位置へ移動する際には、図１２に示すように、正面右側の回転演出部材７６の姿勢変位が最も早く開始され、次いで中央の回転演出部材７６、正面左側の回転演出部材７６の順で姿勢変位が開始される。
【００４２】
一方、正面左側のカム溝８２は、第３溝部８５の長さＬ２が最も短く形成され、中央のカム溝８２における第３溝部８５の長さＬ２は正面左側のカム溝８２の第３溝部８５より長く形成され、正面右側のカム溝８２における第３溝部８５の長さＬ２は中央のカム溝８２の第３溝部８５より更に長く設定されている。従って、前記スライド部材７５が前記スライド位置から原点位置に向けて円弧状に移動する際には、正面右側の回転演出部材７６、中央の回転演出部材７６および正面左側の回転演出部材７６の移動位置から退避位置への姿勢変位の開始タイミングおよび終了タイミングが異なるようになっている。すなわち、スライド部材７５がスライド位置から原点位置へ移動する際には、正面左側の回転演出部材７６の姿勢変位が最も早く開始され、次いで中央の回転演出部材７６、正面右側の回転演出部材７６の順で姿勢変位が開始される。
【００４３】
(電動モータ)
前記電動モータ７８は、例えば正逆回転が可能なステッピングモータ等であり、減速用のギアボックス１００を備えており、図７および図８に示すように、前記固定ベース部材６５の機構設置部７０に固定される。前記ギアボックス１００における出力軸１０１には、駆動ギア１０２が設けられていると共に、前記機構セット板３８には、前記駆動ギア１０２に噛合する第１中継ギア１０３と、この第１中継ギア１０３に噛合すると共に前記スライド部材７５の端部に設けたラックギア８６に噛合する第２中継ギア１０４とが配設されている。従って、前記電動モータ７８を正逆駆動させることで、前記駆動ギア１０２の回転に対して第１中継ギア１０３および第２中継ギア１０４が各々従動回転するようになり、これにより前記スライド部材７５を原点位置とスライド位置との間に円弧状に移動させることが可能となっている。なお電動モータ７８は、前述した統括制御装置により駆動制御される。また駆動手段としては、前記電動モータ７８に限らず、流体を使用するアクチュエータや、ロータリーソレノイド等であってもよい。また、前記第２演出機構６２および第３演出機構６３では、電動モータ７８とラックギア８６に隣接して電動モータ７８を配設することができるため、中継ギアを不要として、駆動ギア１０２がラックギア８６と直接に噛合している。
【００４４】
前述のように構成された第１〜第３の演出機構６１,６２,６３から構成された第１可動演出装置６０は、図５および図１０に示すように、前記設置部材３０における設置壁部３１の前面に各演出機構６１,６２,６３の固定ベース部材６５を固定すると、各々の固定ベース部材６５に形成された前記摺動面６６の両端部が隣接する摺動面６６の端部と段差泣く整合するようになり、３つの摺動面６６は同一円周上に配列されて１つの円形の摺動面を構成する。また、第１〜第３の演出機構６１,６２,６３における前記スライド部材７５も、各摺動面６６と同じ同一円周上に配列される。また、第１〜第３の演出機構６１,６２,６３に配設された３つずつの各回転演出部材７６は、図１１に示すように、同一円周上でかつ周方向へ等間隔に配置される。
【００４５】
(第２可動演出装置)
前記第２可動延出装置１１０は、図１および図２に示すように、第１演出部材１１１と、該第１演出部材１１１の右側に並んで該第１装飾部材４０に昇降移動可能に配設された第２演出部材１１２と、これら第１演出部材１１１および第２演出部材１１２を昇降させる駆動機構等を備えている。そして第２可動演出装置１１０は、前記駆動機構の駆動により第１演出部材１１１および第２演出部材１１２が同期的または別々に昇降移動して、前記第１装飾部材４０の前側に重なった退避位置と、前記表示開口３４へ延出して前記表示部Ｈ１の前側に位置する移動位置との間を昇降変位するように構成されている。
【００４６】
(第３可動演出装置)
第３可動演出装置１１５は、図１および図２に示すように、その下端部が枢支された揺動部材１１６と、該揺動部材１１６の上端側に回転可能に配設された回転部材１１７とを備えると共に、図示省略したリンク機構および電動モータからなる駆動機構とを備えている。そして第３可動演出装置１１５は、前記駆動機構の駆動により揺動部材１１６が揺動変位して、前記第２装飾部材４５の前側に重なった退避位置と、前記表示開口３４へ延出して前記表示部Ｈ１の前側に位置する移動位置との間を回転変位するように構成されている。
【００４７】
(実施例の作用)
前述のように構成された第１可動演出装置６０等を備えた実施例のパチンコ機Ｐでは、前記遊技盤Ｄの遊技領域１０へ打ち出されたパチンコ球が前記始動入賞装置２０の始動入賞口２０Ａに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示部Ｈ１において図柄変動演出を行なわせる。そして主制御装置は、前記大当たり抽選の結果として大当たりが発生すると、前記統括制御装置を介して図柄表示装置Ｈの表示部Ｈ１に所定の図柄組合わせで図柄を停止表示させ、前記特別入賞装置２１の開閉扉２１Ａを開放動作させて入賞口を開放させる。
【００４８】
また前記統括制御装置は、前記主制御装置からの制御信号に基づき、前記第１可動演出装置６０、第２可動演出装置１１０および第３可動演出装置１１５等を、前記図柄表示装置Ｈの表示部Ｈ１での遊技内容に合わせて総合的に作動制御する。すなわち統括制御装置は、前記図柄表示装置Ｈの表示部Ｈ１での遊技内容に基づき、前記第１〜第３の各可動演出装置６０,１１０,１１５の何れかを単独で作動させたり、各可動演出装置６０,１１０,１１５を同時または同期的に作動させる。
【００４９】
前記第１可動演出部材６０では、前記第１〜第３の各演出機構６１,６２,６３は、前記電動モータ７８の駆動制御前においては、図３および図１１に示すように、各スライド部材７５が原点位置に停止保持されていることで、前記カム９５が前記カム溝８２の第１溝部８３に位置するので、各回転演出部材７６は前記退避位置に停止保持されている。従って、各回転演出部材７６は、第２可動演出装置１１０(第１装飾部材４０)、第３可動演出装置１１５(第２装飾部材４５)および第３装飾部材５０の背後に位置しており、遊技盤Ｄの前面からはその存在を認識することができない。
【００５０】
そして、第１〜第３の各演出機構６１,６２,６３の前記電動モータ７８が駆動制御されると、各スライド部材７５が摺動面６６に沿って周方向(実施例では前側から見て反時計方向)へスライドして前記原点位置からスライド位置に向けて移動する。このスライド部材７５のスライド移動により、各回転演出部材７６は、適宜時間差をもって前記退避位置から移動位置に向けて姿勢変位を開始する(図１２参照)。そして、全ての回転演出部材７６が夫々移動位置まで回転すると、各回転演出部材７６における演出体部９１の先端が環状に整列した状態で図柄表示装置Ｈの表示部Ｈ１の前側に位置するので、演出効果を好適に向上させることができる。しかも、第１可動演出装置６０の各回転演出部材７６は、第２可動演出装置１１０(第１装飾部材４０)、第３可動演出装置１１５(第２装飾部材４５)および第３装飾部材５０の後側において表示部Ｈ１の直前で姿勢変位するため、表示窓口２８Ａの奥まった位置で姿勢変位する。
【００５１】
前述のように構成された実施例の第１可動演出装置６０によれば、遊技盤Ｄの後方に位置する設置壁部３１の前面に該第１可動演出装置６０を配設することで、各スライド部材７５が該設置壁部３１に設けた表示開口３４の外側部分に配設されて該表示開口３４を囲繞すると共に、各回転演出部材７６が、表示開口３４の外側部分において該表示開口３４を囲繞するように円形に配列される。従って、前記第１〜第３の各演出機構６１,６２,６３では、円弧状の各スライド部材７５を移動させると、各々３個ずつの各回転演出部材７６が、該設置壁部３１に形成した表示開口３４から退避した退避位置および該表示開口３４に臨む表示部の前方に臨む移動位置の間を姿勢変位するので、演出効果を好適に向上させることができる。また、第１〜第３の各演出機構６１,６２,６３では、１つの電動モータ７８および１つのスライド部材７５により、円弧状に配列された３個の各回転演出部材７６を姿勢変位させることができ、第１可動演出装置６０の小型化および構成の簡素化を図ることができると共に、電動モータ７８を各回転演出部材７６毎に個別に設ける必要がないからコスト低減にも寄与し得る。
【００５２】
また前記第１可動演出装置６０は、設置部材３０の設置壁部３１の前面に配設され、前記第２可動演出装置１１０(第１装飾部材４０)、第３可動演出装置１１５(第２装飾部材４５)および第３装飾部材５０の後側において、遊技盤Ｄの後方の奥まった位置で各回転演出部材７６が姿勢変位するので、奥行き感のある立体的な演出効果を得ることができる。また、各回転演出部材７６は、表示開口３４に臨む図柄表示装置Ｈの表示部Ｈ１の直前で姿勢変位するから、該表示部Ｈ１で表示演出される図柄と該回転演出部材７６との同調性を向上させることができる。
【００５３】
また、第１〜第３の各演出機構６１,６２,６３を設置部材３０の設置壁部３１の前側に配設すると、各固定ベース部材６５に設けた前記各摺動面６６が表示開口３４の外側において真円をなすと共に、各スライド部材７５が円弧状に形成されているから、前方に開放した設置部材３０の縦幅および予横幅に対してサイズに対して該スライド部材７５の長さを大きく設定することができ、１つのスライド部材７５で複数(実施例では３個)の回転演出部材７６を姿勢変位させることが可能である。しかも、設置部材３０の設置壁部３１に、第１〜第３の各演出機構６１,６２,６３の固定ベース部材６５を広い領域で直接固定するので、該設置部材３０が適切に補強されるようになり、設置壁部３１の後側に配設した図柄表示装置Ｈや各種機器等の重みによる設置部材３０の変形を防止し得る。
【００５４】
更に、実施例の第１可動演出装置６０では、第１〜第３の各演出機構６１,６２,６３を備えているため、各演出機構６１,６２,６３の電動モータ７８を同期的に駆動させることで、９個の各回転演出部材７６を同期的に表示部Ｈ１の前方へ臨ませることができ、各回転演出部材７６により演出効果を高めることができる。また、第１〜第３の各演出機構６１,６２,６３を非同期的に動作させることで、各回転演出部材７６を選択的に姿勢変位させることもできるから、更に多彩かつ多様な演出を行なうことができる。
【００５５】
また、実施例の第１可動演出装置６０では、前記スライド板７５と各回転演出部材７６とを連係する各カム溝８２の第１溝部８３および第３溝部８５の形状を変更してあることにより、第１〜第３の各演出機構６１,６２,６３では、各回転演出部材７６毎に退避位置と移動位置との間での姿勢変位のタイミングをずらすことができるから、演出効果を更に高めることができる。
【００５６】
〔変更例〕
本発明に係る遊技機は、実施例に例示の形態に限らず種々の変更が可能である。
（１）演出部材７６は、実施例に例示した回転形態のものに限らず、設置壁部３１の前面の面方向(固定ベース部材６５の面方向)に沿って直線状または曲線状にスライドして、前記表示開口３４内へ延出するスライド形態であってもよい。
（２）実施例では、スライド部材７５および回転演出部材７６を、表示開口３４を囲繞する円形に配列した形態を例示したが、円形に限定されず、前記表示開口３４の外側部分を所要長(例えば半円等)で円弧状に配列したものとしてもよい。
（３）前記スライド部材７５は、複数に分割したものを円形に配列した形態に限らず、１つのリング状に形成されたものであってもよい。
（４）前記スライド部材７５は、周方向へ所要長に往復移動するものではなく、表示開口３４の周囲全周を回転するものであってもよい。
（５）前記スライド部材７５は、実施例で示した円弧板状のものに限らず、円弧状に移動可能であれば様々な形状とすることができる。
（６）各固定ベース部材６５の内側に表示開口３４に臨むように形成された開口は、円形に限らず、楕円形や多角形、または前記表示開口３４の如く円弧部と直線部とを組み合わせた形状等であってもよい。
（７）固定ベース部材６５の内側には、図柄表示装置Ｈの表示部Ｈ１だけでなく、各種装飾部材や別の演出装置を配置するようにしてもよい。
（８）連係手段７７は、実施例に例示したカムおよびカム溝が係合したカム機構に限らず、リンク部材を利用したリンク機構や、ベルトやチェン等を利用したベルト機構等であってもよい。
（９）実施例では、３組の演出機構６１,６２,６３から構成された第１可動演出装置６１を例示したが、この演出機構の数はこれに限定されず、単一の演出機構で構成してもよいし、２組または４組以上から構成してもよい。
（１０）駆動手段７８は、実施例に例示した電動モータに限らず、ロータリーソレノイドやリニアソレノイド、流体アクチュエータ(エアシリンダ等)であってもよい。
（１１）連係機構７７における各カム溝８２の延在形状を同一とすれば、スライド部材７５のスライド移動に対して各回転演出部材７６を同時かつ同期的に姿勢変位させ得る。
（１２）実施例では、遊技機としてのパチンコ機を示したが、遊技機はパチンコ機に限られるものではなく、アレンジボール機等であってもよい。
【符号の説明】
【００５７】
３４ 表示開口(開口)，６６ 摺動面，６９ ガイドローラ(ガイド部)，
７５ スライド部材(移動部材)，７６ 回転演出部材(演出部材)，
７７ 連係機構(連係手段)，７８ 電動モータ(駆動手段)，８１ ガイドレール(ガイド部)
８２ カム溝(溝)，８３ 第１溝部，８４ 第２溝部，８５ 第３溝部
８９ 円弧突部(突部)，９５ カム(突出部)，Ｈ 図柄表示装置，Ｈ１ 表示部
【図１】
0005681614.tif 000002
【図２】
0005681614.tif 000003
【図３】
0005681614.tif 000004
【図４】
0005681614.tif 000005
【図５】
0005681614.tif 000006
【図６】
0005681614.tif 000007
【図７】
0005681614.tif 000008
【図８】
0005681614.tif 000009
【図９】
0005681614.tif 000010
【図１０】
0005681614.tif 000011
【図１１】
0005681614.tif 000012
【図１２】
0005681614.tif 000013
【図１３】
0005681614.tif 000014